(57)【要約】【課題】耐火性、遮音性、Ｘ線防護性に優れた壁構造をできるだけ簡易且つ低コストで提供すること。【解決手段】天井から床にかけて設けられた壁下地と、該壁下地の一方の側及び他方の側に各々張り詰められた複数枚の耐火ボードと、該壁下地の一方の側の耐火ボード及び／又は他方の側の耐火ボードの該壁下地側の面に積層一体的に設けられた鉛シートとを備えてなる。前記耐火ボードの間は開放空間になっていてもよいし、グラスウール又はロックウール等の吸音材で充填されていてもよい。前記耐火ボードは１枚の場合だけでなく、２枚重ね又はそれ以上にしてもよい。また、前記耐火ボードの端部と床、天井、壁の間の隙間にシール材を充填しても良い。【選択図】図１
2005133414.tif 000002
【特許請求の範囲】
【請求項１】
天井から床にかけて設けられた壁下地と、該壁下地の一方の側及び他方の側に各々張り詰められた複数枚の耐火ボードと、該壁下地の一方の側の耐火ボード及び／又は他方の側の耐火ボードの該壁下地側の面に積層一体的に設けられた鉛シートとを備えたことを特徴とする間仕切壁。
【請求項２】
耐火ボードの熱を鉛シートの溶融、流下によって除去させ、耐火性能を向上させたことを特徴とする請求項１に記載の間仕切壁。
【請求項３】
前記鉛シートの前記壁下地側が開放空間になっていることを特徴とする請求項１又は２に記載の間仕切壁。
【請求項４】
前記耐火ボードの間に吸音材が充填されていることを特徴とする請求項１又は２に記載の間仕切壁。
【請求項５】
前記壁下地が、天井に取り付けられた天井ランナーと、床に取り付けられた床ランナーと、該天井ランナーと該床ランナーの間に略垂直に架設された複数本のスタッドとからなり、該スタッドが前記耐火ボードのうちのいずれか一方の側の耐火ボードにのみ接していることを特徴とする請求項１〜４のいずれかに記載の間仕切壁。
【請求項６】
前記耐火ボードと前記スタッドとの間に防振材が挿入されていることを特徴とする請求項５に記載の間仕切壁。
【発明の詳細な説明】
【技術分野】
【０００１】
この発明は、壁下地を耐火ボード（石膏等からなるセラミックボード）で挟んでなる、耐火性、遮音性、Ｘ線防護性に優れた乾式二重構造の間仕切壁に関するものである。
【背景技術】
【０００２】
病院、官庁、学校、オフィスビル、集合住宅（マンション）等の建物の外壁や内部の間仕切壁は、火災時の延焼を防ぐため、国土交通大臣が認定している構造の、耐火性に優れたコンクリート壁や乾式二重構造の壁で形成されている場合が多い。
【０００３】
そして、外壁はコンクリート壁で形成され、内部の間仕切壁は、改修の容易さを考慮して、乾式二重構造の壁で形成されることが多い。ここで、乾式二重構造の壁とは、天井から床にかけて設けられた壁下地と、該壁下地の一方の側及び他方の側に各々張り詰められた複数枚の石膏ボードとからなる壁をいう。
【０００４】
ところで、病院のＸ線撮影室や学校の音楽室のように、間仕切壁は、部屋の用途によって、鉛シートを使用してＸ線防護性や遮音性を付与しなければならない場合が有るが、間仕切壁の構造は国土交通大臣が認定している構造を前提としなければならないので、乾式二重構造の間仕切壁の外側に鉛シート付き石膏ボードを更に張り付けるといった構造を採らざるを得ない。
【０００５】
しかし、このような構造を採ると、石膏ボードを二重に使用することになるので、材料としての石膏ボードを余分に使用しなければならないという問題があった。
【０００６】
また、このような構造を採ると、鉛シート付き石膏ボードを張り付ける作業が必要になり、間仕切壁を形成する手間が二度手間になるという問題があった。
【０００７】
また、鉛シート付き石膏ボードはかなりの厚さ（例えば１４〜１５ｍｍ程度）を有しているので、その分、部屋が狭くなるという問題があった。
【０００８】
更に、間仕切壁を設計する段階では鉛シート付き石膏ボードの外付けを認識していない場合が多いので、設計後に現場で石膏ボードを外付けすることによって影響を受ける箇所の設計をし直し、場合によっては、その箇所の材料の寸法等を現場で修正しなければならず、施工が非常に煩雑且つ面倒になることがあった。
【０００９】
なお、耐火性、遮音性に優れた壁に関連する発明としては、例えば下記の特許文献１〜３に記載されたものがある。
【特許文献１】特開平９−６７８７６号公報
【特許文献２】特開平９−７２０２１号公報
【特許文献３】特開平７−１０９８７６号公報
【００１０】
特許文献１には、長尺材で金属薄板からなる表面材、裏面材で合成樹脂からなる芯材をサンドイッチした構造で、少なくとも表面材の背面に接着剤薄層を介してアンカー材を植設し、このアンカー材と芯材とを一体に形成すると共に、芯材の密度を耐火材を混入させて約１００〜４００ｋｇ／ｍ３とした耐火パネルが開示されている。
【００１１】
特許文献２には、長尺材で金属薄板からなる表面材、裏面材で合成樹脂発泡対体からなる芯材をサンドイッチした構造で、少なくとも表面材の背面に接着剤薄層を介して特殊なアンカー材を植設し、このアンカー材と芯材とを一体に形成すると共に、芯材の密度を耐火材を混入させて約１００〜４００ｋｇ／ｍ３とした耐火パネルが開示されている。
【００１２】
特許文献３には、フェノールフォームの両面に不燃性、耐火性の鉱物質繊維ボードを積層してなる芯材を含み、且つ、該パネルの外周部分に無機質系加熱膨張シートが組み込まれ、パネル表面と芯材の間に無機質系遮音シートを介在させている木質系防火防音ドアパネルが開示されている。
【発明の開示】
【発明が解決しようとする課題】
【００１３】
この発明が解決しようとする課題は、耐火性、遮音性、Ｘ線防護性に優れた壁構造をできるだけ簡易且つ低コストで提供することである。
【課題を解決するための手段】
【００１４】
この発明に係る耐火壁構造は、天井から床にかけて設けられた壁下地と、該壁下地の一方の側及び他方の側に各々張り詰められた複数枚の耐火ボードと、該壁下地の一方の側の耐火ボード及び／又は他方の側の耐火ボードの該壁下地側の面に積層一体的に設けられた鉛シートとを備えたことを特徴とするものである。
【００１５】
ここで、前記壁下地は、天井に取り付けられた天井ランナーと、床に取り付けられた床ランナーと、該天井ランナーと該床ランナーの間に略垂直に架設された複数本のスタッドとで構成することができる。
【００１６】
前記鉛シートの前記壁下地側は開放空間になっていてもよいし、グラスウール又はロックウール等の吸音材で充填されていてもよい。
【００１７】
前記スタッドを千鳥状に配置し、又は前記スタッドを所定間隔を空けて二本ずつ配置し、スタッドが前記耐火ボードのうちのいずれか一方の側の耐火ボードにのみ接するようにしてもよい。前記耐火ボードと前記スタッドとの間に防振材を挿入してもよい。
【００１８】
前記耐火ボードは１枚の場合だけでなく、２枚重ね又はそれ以上にしてもよい。また、前記耐火ボードの端部と床、天井、壁の間の隙間にシール材を充填しても良い。
【発明の効果】
【００１９】
この発明に係る間仕切壁は、鉛シート付き耐火ボードを外付けする必要がないので、耐火ボードを二重に使用しなくて済み、従って、耐火性、遮音性、Ｘ線防護性に優れた壁構造を低コストで提供することができるという効果がある。
【００２０】
また、この発明に係る間仕切壁は、鉛シート付き耐火ボードを外付けする必要がないので、間仕切壁を形成する手間が二度手間にならず、従って、耐火性、遮音性、Ｘ線防護性に優れた壁構造を低コストで提供することができるという効果がある。
【００２１】
また、この発明に係る間仕切壁は、鉛シート付き耐火ボードを外付けする必要がないので、鉛シート付き耐火ボードの厚さ分、部屋が狭くなるという問題がなくなるという効果がある。
【００２２】
また、この発明に係る間仕切壁は、設計後に現場で耐火ボードを外付けすることによって影響を受ける箇所の設計をし直したり、その箇所の材料の寸法等を現場で修正したりする必要がなくなるので、施工が容易且つ低コストで行なえるという効果がある。
【００２３】
また、この発明に係る間仕切壁は、耐火ボードを伝わってきた熱によって鉛シートが融解し、鉛シートの融解時の吸熱で鉛シートに接していた耐火ボードの熱が吸い取られるので、耐火壁の耐火性能が高くなるという効果がある。
【００２４】
また、この発明に係る間仕切壁は、溶融した鉛シートが下方に流れ落ち、鉛シートが溶融した部分の対向面に及ぼす輻射熱が減少し、対向面の温度が上昇し難くなるので、間仕切壁の耐火性が高くなるという効果がある。
【００２５】
また、この発明に係る間仕切壁は、対向する耐火ボード間にグラスウール又はロックウール等の吸音材を介在させた場合、遮音性能が更に高まるという効果がある。
【００２６】
また、この発明に係る間仕切壁は、前記スタッドを千鳥状に配置し、又は前記スタッドを所定間隔を空けて二本ずつ配置し、各スタッドが、対向する耐火ボードのうちのいずれか一方の側の耐火ボードにのみ接しているようにした場合、遮音性能が更に高まるという効果がある。
【００２７】
また、この発明に係る間仕切壁は、前記耐火ボードと前記スタッドとの間に防振材が挿入されている場合、遮音性能が更に高まるという効果がある。
【００２８】
また、この発明に係る間仕切壁は、耐火ボードの端部と床、天井、壁の間の隙間にシール材を充填した場合、耐火性や防炎性能が更に高まるという効果がある。
【発明を実施するための最良の形態】
【００２９】
図１はこの発明の一実施の形態に係る間仕切壁の説明図、図２はこの発明の一実施の形態に係る間仕切壁の縦断面図、図３は図２の部分拡大図、図４は図３の変形例を示す図、図５はこの発明の一実施の形態に係る間仕切壁の横断面図、図６は図５の部分拡大図、図７は図６の変形例を示す図である。
【００３０】
これらの図に示すように、間仕切壁１０を形成すべき場所の天井１２と床１４には断面略コ字状のランナー１６ａ，１６ｂ（天井ランナー１６ａ、床ランナー１６ｂ）が開口側を対向させた状態で、固定金物１８によって取り付けられている。
【００３１】
天井ランナー１６ａと床ランナー１６ｂの間には複数本のスタッド２０が所定間隔をおいて垂直に設けられる。
【００３２】
そして、天井ランナー１６ａと、床ランナー１６ｂと、ランナー１６ａ，１６ｂ間に取り付けられた複数本のスタッド２０によって壁下地２４が構成されている。
【００３３】
壁下地２４の一方の側及び他方の側には強化石膏ボードからなる下側石膏ボード２６が各々張り詰められ状態でタッピンネジ２８によって取り付けられている。下側石膏ボード２６の間は開放空間になっている。
【００３４】
下側石膏ボード２６の壁下地２４側の面には鉛シート３０が全面にわたって積層一体的に設けられ、図３及び図６に示すように、鉛シート３０の端部が隙間を作る部位には鉛目地処理材３２が隙間を塞ぐように重ねて設けられている。ただし、図４及び図７に示すように、鉛シート３０の端部が相互に重なっている場合は、鉛目地処理材は不要である。
【００３５】
下側石膏ボード２６の上には強化石膏ボードからなる上側石膏ボード３４が接着剤（図示せず）及びステープル３６によって積層一体的に取り付けられている。上側石膏ボード３４の端部と天井１２、床１４との間の隙間にはシール材３８が充填されている。
【００３６】
次に、この間仕切壁１０の施工方法について説明する。
【００３７】
まず、壁下地２４を形成する。すなわち、間仕切壁１０を形成すべき場所の天井１２と床１４にランナー１６ａ，１６ｂを固定金物１８で各々固定する。そして、天井ランナー１６ａと床ランナー１６ｂの間に複数本のスタッド２０を所定間隔をおいて垂直に立てる。
【００３８】
次に、図３、図６に示すように壁下地２４の一方の側に鉛シート３０付きの下側石膏ボード２６を、鉛シート２８を壁下地２４側に向けてタッピンネジ２８で固定する。下側石膏ボード２６の端部の当接部位の裏側には鉛目地処理材３２を貼って鉛シート３０が隙間を作る部位を遮蔽する。
【００３９】
次に、図４、図７に示すように、壁下地２４の一方の側に鉛シート３０を端部を重ね合わせながら両面テープ又はタッピングねじ等で張り、その上から下側石膏ボード２６を壁下地２４にタッピンねじ２８で固定する。
【００４０】
そして、下側石膏ボード２６の上（表面側）に接着剤を塗布し、その上に上側石膏ボード３４を重ね、ステープル３６で上側石膏ボード３４を下側石膏ボード２６に固定する。
【００４１】
壁下地２４の他方の側に下側石膏ボード２６（鉛シートの付いていない単なる石膏ボード）をタッピンネジ２８で固定し、下側石膏ボード２６の上（表面側）に接着剤を塗布し、その上に上側石膏ボード３４を重ね、ステープル３６で上側石膏ボード３４を下側石膏ボード２６に固定する。上側石膏ボード３４の端部と天井１２、床１４、壁との間の隙間にはシール材３８を充填する。
【００４２】
なお、上記実施の形態では壁下地２４を介して対向する下側石膏ボード２６，２６の一方に鉛シート３０を設けたが、壁下地２４を介して対向する両方の下側石膏ボード２６，２６に鉛シート３０を設けても良い。このようにした場合は、耐火性、遮音性、Ｘ線防護性が更に向上する。
【００４３】
また、上記実施の形態（片側鉛シート付き、両側鉛シート付き）では壁下地２４を介して対向する下側石膏ボード２６，２６の間を開放空間としたが、図８に示すように、この開放空間にロックウール又はグラスウール等の吸音材４０を充填してもよい。このようにした場合は、耐火性、遮音性が更に向上する。
【００４４】
また、上記実施の形態（片側鉛シート付き、両側鉛シート付き、吸音材を充填）ではスタッド２０を直線上に配置したが、図９、図１０に示すように、スタッド２０を千鳥状に配置しても良い。このようにした場合は、スタッドを介した音の伝達が阻止されるので、遮音性が更に向上する。
【００４５】
なお、この場合、吸音材４０は、図９に示すように、直線状に充填してもよいし、図１０に示すように、スタッド２０の間を蛇行させた状態で充填させてもよい。
【００４６】
また、図１１に示すように、ランナー１６ａ，１６ｂとスタッド２０との間にマット状の防振材料からなる敷目板４２を入れてもよい。このようにした場合は、敷目板４２によって石膏ボード２６とスタッド２０との間の音の伝達が阻止されるので、遮音性が更に向上する。
【００４７】
また、上記実施の形態ではスタッド２０を１本ずつ所定間隔をおいて設けたが、図１３、図１４、図１５に示すように、スタッド２０を２本ずつ所定間隔をおいて設けても良い。このようにした場合は、スタッドを介した音の伝達が阻止されるので、遮音性が更に向上する。
【図面の簡単な説明】
【００４８】
【図１】この発明の一実施の形態に係る間仕切壁の説明図である。
【図２】この発明の一実施の形態に係る間仕切壁の縦断面図である。
【図３】図２の部分拡大図である。
【図４】図３の変形例を示す部分拡大図である。
【図５】この発明の一実施の形態に係る間仕切壁の横断面図である。
【図６】図５の部分拡大図である。
【図７】図６の変形例を示す部分拡大図である。
【図８】この発明の他の実施の形態に係る間仕切壁の横断面図である。
【図９】この発明の他の実施の形態に係る間仕切壁の横断面図である。
【図１０】この発明の他の実施の形態に係る間仕切壁の横断面図である。
【図１１】この発明の他の実施の形態に係る間仕切壁の横断面図である。
【図１２】この発明の他の実施の形態に係る間仕切壁の横断面図である。
【図１３】この発明の他の実施の形態に係る間仕切壁の横断面図である。
【図１４】この発明の他の実施の形態に係る間仕切壁の横断面図である。
【図１５】この発明の他の実施の形態に係る間仕切壁の横断面図である。
【符号の説明】
【００４９】
１０  間仕切壁
１２  天井
１４  床
１６ａ，１６ｂ  ランナー
１８  固定金物
２０  スタッド
２４  壁下地
２６  下側石膏ボード
２８  タッピンネジ
３０  鉛シート
３２  鉛目地処理材
３４  上側石膏ボード
３６  ステープル
３８  シール材
４０  吸音材
４２  敷目板
４４  スペーサ
【図１】
2005133414.tif 000003
【図２】
2005133414.tif 000004
【図３】
2005133414.tif 000005
【図４】
2005133414.tif 000006
【図５】
2005133414.tif 000007
【図６】
2005133414.tif 000008
【図７】
2005133414.tif 000009
【図８】
2005133414.tif 000010
【図９】
2005133414.tif 000011
【図１０】
2005133414.tif 000012
【図１１】
2005133414.tif 000013
【図１２】
2005133414.tif 000014
【図１３】
2005133414.tif 000015
【図１４】
2005133414.tif 000016
【図１５】
2005133414.tif 000017